(57)【要約】      （修正有）【課題】瓦礫等がシェルターの出入口付近にあっても容易に外部に脱出可能であり、また、健常者でなくともシェルター内への避難を容易且つ速やかに行える地下に埋設して使用する防水仕様の津波シェルターを提供する。【解決手段】地上部１は、室内側に開閉可能な防水ドア１２を有し、地上部１から地下部２に降りる手段として、タラップ２２、２３および滑り台２１が設けられ、地下部２の上面には地上部１を有しない面があり、地上部１の屋根の一部は室内側に向けてせり上がった傾斜屋根で構成され、地上部１を有しない地下部２の上面には地上に出入り可能な防水ハッチ２４が設けられ、防水ハッチ２４は傾斜屋根の下方に傾斜した方向に位置する。【選択図】図１
0003181620.tif 000002
【実用新案登録請求の範囲】
【請求項１】
地上部と地下部とを有し、地下部を地中に埋設して使用する防水仕様の津波シェルターであって、
上記地上部は、
室内側に開く防水ドアと、
開閉可能な防水吸気口と、
地下部に通じる侵入口と、
を有し、
上記地下部は、
上記侵入口から上記地下部に降下するためのタラップおよび滑り台と、
一時居住可能なスペースと、
を有し、
上記地上部の屋根の一部は屋根の端部に向かって下降する傾斜を有する傾斜屋根で構成される
ことを特徴とする津波シェルター。
【請求項２】
上記地下部の上面には地上部を有しない面があり、
上記地上部を有しない上記地下部の上面には地上に出入り可能な防水ハッチが設けられ、
当該防水ハッチは上記傾斜屋根の下方に傾斜した方向に位置する
ことを特徴とする請求項１に記載の津波シェルター。
【請求項３】
上記地下部は、上記防水ハッチに通じるタラップを備えた
ことを特徴とする請求項２に記載の津波シェルター。
【請求項４】
上記地上部は、外部を視認可能な覗き窓を備えた
ことを特徴とする請求項１から３のいずれか１項に記載の津波シェルター。
【請求項５】
上記滑り台は、上記地下部の上部に収納可能である
ことを特徴とする請求項１から４のいずれか１項に記載の津波シェルター。
【考案の詳細な説明】
【技術分野】
【０００１】
本考案は、津波の災害発生時に避難するために使用される鉄骨構造等による埋没型防災用シェルターに関するものである。
【背景技術】
【０００２】
東日本大震災においては、地震に伴って発生した想定を遥かに超えた津波により、多くの貴重な人命が奪われたことは、我が国ならず、世界中に衝撃を与えた。そして、この大震災の教訓として、津波に対しては、いち早く高台に避難することが最善の対策であるという知見が得られた。
【０００３】
しかし、地震による家屋や道路の崩壊により、高台への避難経路が寸断されることにより、高台への避難ができない、あるいは間に合わないというケースも考えられる。特に、高台が近くに無い場合や、高齢者や子供、あるいは病人やけが人がいる場合には、なおさら避難することが困難になることが予想される。
【０００４】
このような問題に対処するため、災害発生時に一時的に避難する目的で、自宅近くに防災地下室ユニットを設けることが提案されている。この防災地下室ユニットは、内枠として水密製作された強化樹脂を用いることで、津波による浸水時にも内部に浸水が無く、一時的な避難を可能としている（例えば、特許文献１）。
【先行技術文献】
【特許文献】
【０００５】
【特許文献１】特開Ｓ５５−６１６７０
【考案の概要】
【考案が解決しようとする課題】
【０００６】
しかしながら、上述の防災地下室ユニットにおいては、地上と防災地下室ユニットとを行き来するための通路扉が、地上から低い位置に設けられているため、瓦礫等により通路扉付近が塞がれた場合には、津波が引いた後に外部に脱出できないという問題があった。
【０００７】
さらに、通路扉から防災地下ユニット内に降りる際には、狭い垂直の通路をタラップを使って降りる必要があり、高齢者や病人、あるいは非力な女性にとっては著しく困難であるという課題があった。
【課題を解決するための手段】
【０００８】
本考案に係る津波シェルターは、地上部と地下部とを有し、地下部を地中に埋設して使用する防水仕様の津波シェルターであって、
上記地上部は、室内側に開く防水ドアと、開閉可能な防水吸気口と、地下部に通じる侵入口とを有し、
上記地下部は、上記侵入口から上記地下部に降下するためのタラップおよび滑り台と、一時居住可能なスペースとを有し、
上記地上部の屋根の一部は屋根の端部に向かって下降する傾斜を有する傾斜屋根で構成される。
【０００９】
特に、本考案に係る津波シェルターは、上記地下部の上面には地上部を有しない面があり、上記地上部を有しない上記地下部の上面には地上に出入り可能な防水ハッチが設けられ、当該防水ハッチは上記傾斜屋根の下方に傾斜した方向に位置することを特徴とする。
【００１０】
また、特に、本考案に係る津波シェルターは、上記地下部は、上記防水ハッチに通じるタラップを備えたことを特徴とする。
【００１１】
また、特に、本考案に係る津波シェルターは、上記地上部は、外部を視認可能な覗き窓を備えたことを特徴とする。
【００１２】
また、特に、本考案に係る津波シェルターは、上記滑り台は、上記地下部の上部に収納可能であることを特徴とする。
【考案の効果】
【００１３】
本考案に係る津波シェルターは上記のように構成されるため、瓦礫等がシェルターの出入り口付近にあっても外に脱出可能であり、また、健常者でなくともシェルター内への避難を容易に行えるという特長を有している。
【図面の簡単な説明】
【００１４】
【図１】本考案に係る津波シェルター内部の側面図である。
【図２】本考案に係る津波シェルター内部の上面図である。
【図３】本考案に係る津波シェルターの前面図である。
【考案を実施するための形態】
【００１５】
実施の形態
本考案に係る津波シェルターの構成等に関して、以下において、図面を用いて説明する。なお、以下の説明は本考案に関する良好な一例を開示するものであり、本考案が当該実施の形態に限定されるものではない。
【００１６】
まず、本考案に係る津波シェルターの構成に関して、図１から図３を用いて説明する。
津波シェルターは、地上部１と地下部２からなる。地上部１は地下部２の上に形成され、且つ地上部１と地下部２とは平面的に一部が重なっている。地上部１と地下部２とは、強度面を考慮して鉄骨構造とすることが望ましい。
地上部の大きさは、例えば、横２．２ｍ、縦１．５ｍ、高さ１ｍ程度であり、地下部は、横２．９ｍ、縦１．８ｍ、高さ２ｍ程度である。
【００１７】
地上部１の屋根の一部は、図１に示すように、外部、すなわち屋根の端部に向かって降下する傾斜を持つ傾斜屋根１１を有している。
この傾斜屋根１１と反対側には、地上部１に出入するための防水ドア１２が設けられている。防水ドア１２は室内側に開くものとし、また、開口部には防水パッキンが貼着され、防水ドア１２を閉めると外部からの浸水を防ぐことができる。
【００１８】
地上部１の側面には、防水吸気口１３や覗き窓１４が設けられている。防水吸気口１３は、防水ドア１２と同様に室内側に開閉可能であり、開口部には防水パッキンが貼着され、防水吸気口１３を閉めると外部からの浸水を防ぐことができる。また、瓦礫等の衝突に対する防御のために格子１３ａを設けている。
覗き窓１４は、硬質ガラス等の強度が高く透明な材質で形成され、地上部１の内部から地上外部を視認することができる。
【００１９】
地上部１の図２において左側には、手摺り１５、第一の侵入口１６および第二の侵入口１７が設けられている。第一の侵入口１６と第二の侵入口１７は、地下部２に降りるための開口であり、第一の侵入口１６からは滑り台２１を用いて、第二の侵入口１７からはタラップ２２を用いて、地下部２に降りることができる。滑り台２１あるいはタラップ２２を用いる際には、手摺り１５を持って安全に地下部２に降りることができる。
【００２０】
地下部２の内部の広さは、横２．７５ｍ、縦１．７ｍ程度であり、一時的な避難であれば、１０名程度が収容可能である。滑り台２１は、図１に示すように、地下部２の天井近くに跳ね上げて収納することが可能であり、地下部２内部のスペースを有効に使うことができる。
なお、地下部２の床は、手入れの容易性と居住性を考慮し、フローリングを用いている。
【００２１】
また、タラップ２２が設けられている側面と対向する側面には、別のタラップ２３が設けられ、それを用いて防水ハッチ２４まで昇ることができる。この防水ハッチ２４は、地下部２の天井部分で、且つ地上部１が無い部分に設けられた出入口であり、内部から押し上げることで、地上側に開く構造になっている。また、防水ハッチ２４の開口部には防水パッキンが貼着され、防水ハッチ２４を閉めると外部からの浸水を防ぐことができる。
地下部２の図１奥側には棚が設けられ、緊急時に必要な酸素ボンベ、手動式発電機、ラジオ、ライト、サイレン、携帯電話充電器等を常備しておくことができる。また、瓦礫等を排除するための大型バールを常備しても良い。
さらに、地下部２の室内には、消臭タイプの簡易トイレを設けても良い。
【００２２】
次に、本考案に係る津波シェルターの使用方法について説明する。
津波シェルターの地下部２は、地中に埋設される。例えば、自宅の庭に埋設する。一方、地上部１は地上にあり、防止ドア１２から出入することができる。
また、防水ハッチ２４も地上にあり、防水ハッチ２４からも出入可能である。
【００２３】
通常時には、津波シェルター内のカビの発生等を防ぐために、防水吸気口１３と防水ハッチ２４を開けることで、地上部１と地下部２間に空気の流れができ、効率よく換気ができる。
【００２４】
非常時、例えば、津波警報が発せられた際には、防水ドア１２から地上部１に入り、滑り台２１やタラップ２２により、地下部２に降りる。高齢者、妊婦、幼児、病弱者等は、滑り台２１を用いて、速やかに地下部２に降りることができる。なお、健常者は、防水ハッチ２４から入り、タラップ２３を用いて、直接地下部に降りることも可能である。
【００２５】
避難者全員が津波シェルター内に入ったことを確認後、防水ドア１２と防水ハッチ２４をしっかりと閉める。防水吸気口１３は、吸排気のために開けておく。そして、防水吸気口１３から外を観察し、津波が来たら直ちに防水吸気口１３を閉じる。そして、酸素ボンベを開放する。酸素ボンベとして２４時間対応の大容量のものを備えておくことが望ましい。２４時間という時間は、津波が引くまでに十分な時間である。
【００２６】
津波の状況は、覗き窓１４より観察することができる。覗き窓１４からは、津波の水位等が視認できる。津波が引き、水位が十分に低くなったことを確認し、防水吸気口１３を開けて外部の状況をさらに良く確認する。安全であることを確認できれば、防水ドア１２、あるいは防水ハッチ２４から外部に出ることができる。
【００２７】
なお、地下部２に避難している高齢者等を地上部１に上げる際には、健常者が手伝ってタラップ２２を用いて、引き上げればよい。避難する際には緊急を要するため、滑り台２１を用いて地下部２に降りた高齢者等も、津波が引いた後は、特に急ぐ必要がなく、安全を重視して、慎重に地上部１に引き上げれば良い。
【００２８】
防水ドア１２は、室内側に開くため、防水ドア１２の外側に瓦礫が残っていたとしても、問題なく開くことが可能である。外の瓦礫は、常備している大型バールにより取り除き、外部に出ることができる。
【００２９】
また、引き波の際に、瓦礫等が地上部１にぶつかることが懸念される。この影響を低減するためには、傾斜屋根１１の方向を海岸側と反対になるように、津波シェルターを設置すれば良い。引き波時の瓦礫等は、傾斜屋根１１の傾斜に沿って地上部１を乗り越えるため、瓦礫等の衝突の衝撃を大幅に軽減できる。
【００３０】
さらに、図１に示すように、傾斜屋根１１側に防水ハッチ２４を設ければ、瓦礫等は傾斜屋根１１を乗り越えるため、瓦礫等が防水ハッチ２４上に残る可能性は軽減され、万一、防水ドア１２から外部に出られない場合であっても、防水ハッチ２４から外部に出ることができる。
【００３１】
本考案は上述のように構成されるため、高齢者等であっても、緊急時に速やかに津波シェルター内に避難できる。また、津波シェルター内から外部の状況を視認できるため、安全な状況を十分に確認して、外部に出ることができる。
【００３２】
さらに、瓦礫等があっても、室内側に開く防水ドア１２から容易に外部に出ることができる。
また、地上部１の屋根に傾斜形状を設けたことで、引き波時の瓦礫の衝突の影響を大幅に軽減することで、津波シェルターの破損を防止することが可能である。そして、瓦礫が傾斜形状に沿って地上部１を越えるため、防水ハッチ２４上に多くの瓦礫が残ることは無く、防水ハッチ２４から外部に出ることが可能である。
【００３３】
この防水ハッチ２４は通常時の換気にも有効に働き、防水吸気口１３とともに、地上部１と地下部２間の風の流れを生み出して、有効に津波シェルター全体を換気し、カビ等の発生を抑止することができる。
【００３４】
また、滑り台２１を地下部天井面に収納可能としてことで、津波シェルター内部のスペースを有効に利用できる。
さらに、津波シェルターへの出入りが容易な構成であるため、通常時には倉庫等として利用することもできる。ただし、この際には、避難人数等を考慮して、必要なスペースを開けておく等の配慮が必要である。
【符号の説明】
【００３５】
１  地上部    ２  地下部
１１  傾斜屋根    １２  防水ドア    １３  防水吸気口    １３ａ  格子
１４  覗き窓
１５  手摺り    １６  第一の侵入口    １７  第二の侵入口
２１  滑り台    ２２  タラップ    ２３  タラップ    ２４  防水ハッチ  
２５  棚
【図１】
0003181620.tif 000003
【図２】
0003181620.tif 000004
【図３】
0003181620.tif 000005